(57)【要約】【課題】  液晶駆動回路の消費電流および回路基板の実装面積を同時に抑える。【解決手段】  第１の電位と第１の電位より低い第２の電位との間に直列に接続される複数の抵抗と、複数の抵抗の接続点に発生する、第１の電位と第２の電位との間の１つ以上の中間電位をそれぞれインピーダンス変換して出力する１つ以上の電圧フォロワ回路と、それぞれ所定の順序で、第１の電位、第２の電位、または中間電位を取るコモン信号を液晶パネルのコモン電極に供給するコモン信号出力回路と、コモン信号に応じて、第１の電位、第２の電位、または中間電位を取るセグメント信号を液晶パネルのセグメント電極に供給するセグメント信号出力回路と、を有し、セグメント信号出力回路は、少なくともセグメント信号の電位が取り得る最大の電位差で変化する場合に、セグメント信号の電位をランプ状に変化させる。【選択図】  図１
2012032520.tif 000002
【特許請求の範囲】
【請求項１】
第１の電位と前記第１の電位より低い第２の電位との間に直列に接続される複数の抵抗と、
前記複数の抵抗の接続点に発生する、前記第１の電位と前記第２の電位との間の１つ以上の中間電位をそれぞれインピーダンス変換して出力する１つ以上の電圧フォロワ回路と、
それぞれ所定の順序で、前記第１の電位、前記第２の電位、または前記中間電位を取るコモン信号を液晶パネルのコモン電極に供給するコモン信号出力回路と、
前記コモン信号に応じて、前記第１の電位、前記第２の電位、または前記中間電位を取るセグメント信号を前記液晶パネルのセグメント電極に供給するセグメント信号出力回路と、
を有し、
前記セグメント信号出力回路は、少なくとも前記セグメント信号の電位が取り得る最大の電位差で変化する場合に、前記セグメント信号の電位をランプ状に変化させることを特徴とする液晶駆動回路。
【請求項２】
前記コモン信号出力回路は、少なくとも前記コモン信号の電位が取り得る最大の電位差で変化する場合に、前記コモン信号の電位をランプ状に変化させることを特徴とする請求項１に記載の液晶駆動回路。
【請求項３】
前記コモン信号出力回路は、少なくとも前記コモン信号の電位が前記第１の電位から前記第２の電位に下降する場合、または前記第２の電位から前記第１の電位に上昇する場合に、前記コモン信号の電位をランプ状に変化させ、
前記セグメント信号出力回路は、少なくとも前記セグメント信号の電位が前記第１の電位から前記第２の電位に下降する場合、または前記第２の電位から前記第１の電位に上昇する場合に、前記セグメント信号の電位をランプ状に変化させることを特徴とする請求項２に記載の液晶駆動回路。
【請求項４】
前記コモン信号出力回路は、前記コモン信号の電位をランプ状に変化させる場合に、前記コモン信号として第１の定電流信号を前記コモン電極に供給する第１の電流供給回路を含み、
前記セグメント信号出力回路は、前記セグメント信号の電位をランプ状に変化させる場合に、前記セグメント信号として第２の定電流信号を前記セグメント電極に供給する第２の電流供給回路を含むことを特徴とする請求項２または請求項３に記載の液晶駆動回路。
【請求項５】
前記コモン信号出力回路は、
前記第１の電流供給回路を複数含み、
前記コモン信号の電位をランプ状に変化させる場合に、電流値設定情報に応じた個数の前記第１の電流供給回路から前記第１の定電流信号を前記コモン電極に供給し、
前記セグメント信号出力回路は、
前記第２の電流供給回路を複数含み、
前記セグメント信号の電位をランプ状に変化させる場合に、前記電流値設定情報に応じた個数の前記第２の電流供給回路から前記第２の定電流信号を前記セグメント電極に供給することを特徴とする請求項４に記載の液晶駆動回路。
【発明の詳細な説明】
【技術分野】
【０００１】
本発明は、液晶駆動回路に関する。
【背景技術】
【０００２】
セグメント表示方式や単純マトリクス駆動方式の液晶パネルでは、一般に、コモン信号およびセグメント信号をそれぞれコモン電極およびセグメント電極に供給し、両電極間の電圧（電位差）に応じて点灯または消灯を制御する。  
これらの液晶パネルでは、時分割駆動を行うことによって、液晶駆動用ＩＣの出力端子数より多くのセグメント（画素）を表示することができる。例えば、コモン電極数ｍ、セグメント電極数ｎの液晶パネルでは、１／ｍデューティ駆動を行うことによって、最大ｍ×ｎ個のセグメントを表示することができる。また、時分割駆動においては、１／Ｓバイアス駆動が行われ、各信号は、（Ｓ＋１）個の電位を取り得る。例えば、特許文献１の図４では、１／３バイアス駆動に用いられるＬＣＤ駆動電源回路が開示されている。
【０００３】
ここで、時分割駆動を行う一般的な液晶駆動回路の構成および動作の一例をそれぞれ図７および図８に示す。  
図７に示すように、コモン信号出力回路５およびセグメント信号出力回路７には、高電位側および低電位側の電源電位ＶＤＤおよびＶＳＳのほか、電源電圧Ｖ０（＝ＶＤＤ−ＶＳＳ）を抵抗Ｒ１ないしＲ３で分圧した中間電位Ｖ１およびＶ２が供給されている。したがって、当該液晶駆動回路では、１／３バイアス駆動（Ｓ＝３）が行われている。  
また、図８は、１／４デューティ駆動（ｍ＝４）を行う液晶駆動回路の動作を示している。図８に示されているように、コモン信号ＣＯＭｉ（１≦ｉ≦ｍ）は、１周期Ｔ０のうち、１／４周期の間電源電位を取り、３／４周期の間中間電位を取り、それぞれ１／４周期ずつ波形がシフトされている。一方、セグメント信号ＳＥＧｊ（１≦ｊ≦ｎ）は、当該信号が供給されるセグメント電極に対応する４個のセグメントの点灯または消灯に応じた電位を取る。  
このようにして、１／ｍデューティ、１／Ｓバイアスの駆動方式を用いることによって、液晶駆動用ＩＣの出力端子数より多くのセグメントを表示することができる。
【先行技術文献】
【特許文献】
【０００４】
【特許文献１】特開平１０−１０４９１号公報
【発明の概要】
【発明が解決しようとする課題】
【０００５】
ところで、コモン信号ＣＯＭｉが供給されるコモン電極とセグメント信号ＳＥＧｊが供給されるセグメント電極とは、液晶を介して容量結合されているため、一方の信号の電位の変化によって他方の信号にひげ状のスパイクノイズが発生する可能性がある。そのため、図７に示した液晶駆動回路では、特許文献１の図４と同様に、コンデンサＣ１およびＣ２を安定化容量として用いて、スパイクノイズを吸収し、中間電位Ｖ１およびＶ２を安定化させている。また、図９に示すように、オペアンプ（演算増幅器）ＯＰ１およびＯＰ２でそれぞれ構成される電圧フォロワ回路を用いて、中間電位Ｖ１およびＶ２を安定化させる液晶駆動回路も知られている。
【０００６】
しかしながら、安定化容量として用いられるコンデンサの容量は、液晶パネルに応じて十分に大きくする必要があるため、通常外付け部品となり、回路基板の実装面積が増大する。一方、電圧フォロワ回路を構成するオペアンプの出力インピーダンスは、十分に小さくする必要があるため、消費電流が増大する。また、出力インピーダンスが十分に小さくない場合には、図１０に示すように、スパイクノイズＳｐが十分に吸収されず、液晶パネルに残像などの表示不良が発生する場合もある。
【０００７】
そのため、良好な表示品質を確保するためには、液晶駆動回路の消費電流と回路基板の実装面積とがトレードオフの関係となる。
【課題を解決するための手段】
【０００８】
前述した課題を解決する主たる本発明は、第１の電位と前記第１の電位より低い第２の電位との間に直列に接続される複数の抵抗と、前記複数の抵抗の接続点に発生する、前記第１の電位と前記第２の電位との間の１つ以上の中間電位をそれぞれインピーダンス変換して出力する１つ以上の電圧フォロワ回路と、それぞれ所定の順序で、前記第１の電位、前記第２の電位、または前記中間電位を取るコモン信号を液晶パネルのコモン電極に供給するコモン信号出力回路と、前記コモン信号に応じて、前記第１の電位、前記第２の電位、または前記中間電位を取るセグメント信号を前記液晶パネルのセグメント電極に供給するセグメント信号出力回路と、を有し、前記セグメント信号出力回路は、少なくとも前記セグメント信号の電位が取り得る最大の電位差で変化する場合に、前記セグメント信号の電位をランプ状に変化させることを特徴とする液晶駆動回路である。
【０００９】
本発明の他の特徴については、添付図面及び本明細書の記載により明らかとなる。
【発明の効果】
【００１０】
本発明によれば、良好な表示品質を確保しつつ、液晶駆動回路の消費電流および回路基板の実装面積を同時に抑えることができる。
【図面の簡単な説明】
【００１１】
【図１】コモン信号出力回路１およびセグメント信号出力回路３の具体的な構成の一例を示す回路ブロック図である。
【図２】本発明の一実施形態における液晶駆動回路全体の構成の概略を示す回路ブロック図である。
【図３】本発明の一実施形態における液晶駆動回路の動作を説明する図である。
【図４】電流供給回路の他の構成例を示す回路ブロック図である。
【図５】液晶駆動回路の駆動方式の他の例を示す図である。
【図６】液晶駆動回路の駆動方式のさらに他の例を示す図である。
【図７】外付けのコンデンサを備えた一般的な液晶駆動回路の構成の一例を示す回路ブロック図である。
【図８】図７に示した液晶駆動回路の動作を説明する図である。
【図９】電圧フォロワ回路を備えた一般的な液晶駆動回路の構成の一例を示す回路ブロック図である。
【図１０】図９に示した液晶駆動回路の動作を説明する図である。
【発明を実施するための形態】
【００１２】
本明細書および添付図面の記載により、少なくとも以下の事項が明らかとなる。
【００１３】
＝＝＝液晶駆動回路全体の構成の概略＝＝＝
以下、図２を参照して、本発明の一実施形態における液晶駆動回路全体の構成の概略について説明する。  
図２に示されている液晶駆動回路は、液晶パネル９を駆動するための回路であり、抵抗Ｒ１ないしＲ３、オペアンプＯＰ１、ＯＰ２、コモン信号出力回路１、およびセグメント信号出力回路３を含んで構成されている。
【００１４】
抵抗Ｒ１ないしＲ３は、当該順序で直列に接続されている。また、抵抗Ｒ１の一端は、高電位側の電源電位ＶＤＤ（第１の電位）に接続され、抵抗Ｒ３の一端は、低電位側の電源電位ＶＳＳ（第２の電位）に接続されている。
【００１５】
オペアンプＯＰ１は、非反転入力が抵抗Ｒ１およびＲ２の接続点に接続され、反転入力と出力とが接続されて、電圧フォロワ回路を構成している。また、オペアンプＯＰ２は、非反転入力が抵抗Ｒ２およびＲ３の接続点に接続され、反転入力と出力とが接続されて、電圧フォロワ回路を構成している。
【００１６】
コモン信号出力回路１およびセグメント信号出力回路３には、いずれも、電源電位ＶＤＤおよびＶＳＳと、オペアンプＯＰ１およびＯＰ２からそれぞれ出力される中間電位Ｖ１およびＶ２とが供給されている。また、コモン信号出力回路１から出力されるコモン信号ＣＯＭ１ないしＣＯＭｍは、液晶パネル９のｍ個のコモン電極（不図示）にそれぞれ供給されている。一方、セグメント信号出力回路３から出力されるセグメント信号ＳＥＧ１ないしＳＥＧｎは、液晶パネル９のｎ個のセグメント電極（不図示）にそれぞれ供給されている。
【００１７】
＝＝＝コモン信号出力回路およびセグメント信号出力回路の構成＝＝＝
以下、図１を参照して、コモン信号出力回路１およびセグメント信号出力回路３のさらに具体的な構成について説明する。なお、図１は、コモン信号出力回路１のうち、任意の１つのコモン信号ＣＯＭｉ（１≦ｉ≦ｍ）を出力する回路のみを示し、セグメント信号出力回路３のうち、任意の１つのセグメント信号ＳＥＧｊ（１≦ｊ≦ｎ）を出力する回路のみを示している。
【００１８】
コモン信号出力回路１は、ランプ波形生成回路１０と出力選択回路２０とで構成されている。
【００１９】
ランプ波形生成回路１０は、抵抗Ｒ１１、電流源ＩＳ１２、ＰＭＯＳ（P-channel Metal-Oxide Semiconductor：Ｐチャネル金属酸化膜半導体）トランジスタＴ１１、Ｔ１３、およびＮＭＯＳ（N-channel MOS：Ｎチャネル金属酸化膜半導体）トランジスタＴ１２、Ｔ１４を含んで構成されている。なお、電流源ＩＳ１２は、例えば、ゲートに所定のバイアス電圧が印加されたＮＭＯＳトランジスタで構成されている。
【００２０】
電源電位ＶＤＤに接続された抵抗Ｒ１１、トランジスタＴ１１、Ｔ１２、および電源電位ＶＳＳに接続された電流源ＩＳ１２は、当該順序で直列に接続されており、第１の電流供給回路に相当する。また、トランジスタＴ１１およびＴ１２のゲートには、それぞれクロック信号Ｓ１１およびＳ１２が入力されている。
【００２１】
トランジスタＴ１３のソースは、電源電位ＶＤＤに接続され、ドレインは、トランジスタＴ１１およびＴ１２の接続点に接続され、ゲートには、クロック信号Ｓ１３が入力されている。また、トランジスタＴ１４のソースは、電源電位ＶＳＳに接続され、ドレインは、トランジスタＴ１１およびＴ１２の接続点に接続され、ゲートには、クロック信号Ｓ１４が入力されている。
【００２２】
出力選択回路２０は、マルチプレクサ（選択回路）Ｍ２１およびＭ２２を含んで構成されている。なお、２入力１出力のマルチプレクサＭ２１およびＭ２２は、例えば、それぞれ２個のアナログスイッチで構成されている。
【００２３】
マルチプレクサＭ２２の選択制御入力には、クロック信号Ｓ２２が入力されている。また、クロック信号Ｓ２２のロー・レベルおよびハイ・レベルに対応するデータ入力は、それぞれ中間電位Ｖ１およびＶ２に接続されている。
【００２４】
マルチプレクサＭ２１の選択制御入力には、クロック信号Ｓ２１が入力されている。また、クロック信号Ｓ２１のロー・レベルに対応するデータ入力は、マルチプレクサＭ２２の出力に接続され、ハイ・レベルに対応するデータ入力は、トランジスタＴ１１およびＴ１２の接続点に接続されている。そして、マルチプレクサＭ２１からは、コモン信号ＣＯＭｉが出力されている。
【００２５】
セグメント信号出力回路３は、ランプ波形生成回路３０と出力選択回路４０とで構成されている。
【００２６】
ランプ波形生成回路３０は、電流源ＩＳ３１、ＩＳ３２、ＰＭＯＳトランジスタＴ３１、Ｔ３３、およびＮＭＯＳトランジスタＴ３２、Ｔ３４を含んで構成されている。なお、電流源ＩＳ３１およびＩＳ３２は、例えば、ゲートにそれぞれ所定のバイアス電圧が印加されたＰＭＯＳトランジスタおよびＮＭＯＳトランジスタで構成されている。
【００２７】
電源電位ＶＤＤに接続された電流源ＩＳ３１、トランジスタＴ３１、Ｔ３２、および電源電位ＶＳＳに接続された電流源ＩＳ３２は、当該順序で直列に接続されており、第２の電流供給回路に相当する。また、トランジスタＴ３１およびＴ３２のゲートには、それぞれクロック信号Ｓ３１およびＳ３２が入力されている。
【００２８】
トランジスタＴ３３のソースは、電源電位ＶＤＤに接続され、ドレインは、トランジスタＴ３１およびＴ３２の接続点に接続され、ゲートには、クロック信号Ｓ３３が入力されている。また、トランジスタＴ３４のソースは、電源電位ＶＳＳに接続され、ドレインは、トランジスタＴ３１およびＴ３２の接続点に接続され、ゲートには、クロック信号Ｓ３４が入力されている。
【００２９】
出力選択回路４０は、マルチプレクサＭ４１およびＭ４２を含んで構成されている。なお、２入力１出力のマルチプレクサＭ４１およびＭ４２は、例えば、それぞれ２個のアナログスイッチで構成されている。
【００３０】
マルチプレクサＭ４２の選択制御入力には、マルチプレクサＭ２２と同様に、クロック信号Ｓ２２が入力されている。また、クロック信号Ｓ２２のロー・レベルおよびハイ・レベルに対応するデータ入力は、マルチプレクサＭ２２とは反対に、それぞれ中間電位Ｖ２およびＶ１に接続されている。
【００３１】
マルチプレクサＭ４１の選択制御入力には、クロック信号Ｓ４１が入力されている。また、クロック信号Ｓ４１のロー・レベルに対応するデータ入力は、マルチプレクサＭ４２の出力に接続され、ハイ・レベルに対応するデータ入力は、トランジスタＴ３１およびＴ３２の接続点に接続されている。そして、マルチプレクサＭ４１からは、セグメント信号ＳＥＧｊが出力されている。
【００３２】
＝＝＝液晶駆動回路の動作＝＝＝
以下、図１ないし図３を適宜参照して、本実施形態における液晶駆動回路の動作について説明する。  
抵抗Ｒ１ないしＲ３は、電源電圧Ｖ０（＝ＶＤＤ−ＶＳＳ）を分圧している。また、オペアンプＯＰ１で構成される電圧フォロワ回路は、抵抗Ｒ１およびＲ２の接続点に発生する中間電位Ｖ１をインピーダンス変換して出力する。一方、オペアンプＯＰ２で構成される電圧フォロワ回路は、抵抗Ｒ２およびＲ３の接続点に発生する中間電位Ｖ２をインピーダンス変換して出力する。
【００３３】
なお、抵抗Ｒ１ないしＲ３としては、一般に、抵抗値が等しいものが用いられる。したがって、ＶＤＤ−Ｖ１＝Ｖ１−Ｖ２＝Ｖ２−ＶＳＳ＝１／３Ｖ０となり、当該液晶駆動回路は、１／３バイアス駆動を行う。
【００３４】
ここで、図３を参照して、当該液晶駆動回路が１／４デューティ駆動（ｍ＝４）を行う場合における、コモン信号出力回路１およびセグメント信号出力回路３の具体的な動作の一例について説明する。
【００３５】
なお、図３は、図１に示したコモン信号出力回路１がコモン信号ＣＯＭ１を出力する場合の動作を示しており、コモン信号ＣＯＭ２ないしＣＯＭ４を出力する場合には、それぞれ１／４周期ずつコモン信号ＣＯＭ１の波形がシフトされた波形となる。また、セグメント信号ＳＥＧｊは、当該信号に対応する４個のセグメントのうち、コモン信号ＣＯＭ２およびＣＯＭ３に対応する２個のセグメントが点灯し、コモン信号ＣＯＭ１およびＣＯＭ４に対応する２個のセグメントが消灯する場合の波形が示されている。
【００３６】
まず、コモン信号出力回路１の動作について説明する。  
クロック信号Ｓ２１は、１／４デューティのクロック信号であり、当該信号のハイ・レベル期間は、コモン信号ＣＯＭ１に対応するｎ個のセグメントが選択される期間を示している。したがって、コモン信号出力回路１がコモン信号ＣＯＭ２ないしＣＯＭ４を出力する場合には、それぞれ１／４周期ずつクロック信号Ｓ２１の波形がシフトされる。以下、コモン信号ＣＯＭｉに対応するｎ個のセグメントが選択されている期間および選択されていない期間を、それぞれコモン信号ＣＯＭｉの選択期間および非選択期間と称することとする。
【００３７】
クロック信号Ｓ２２は、１周期が各コモン信号の選択期間に等しい、１／２デューティのクロック信号である。また、クロック信号Ｓ１１およびＳ１２は、いずれもクロック信号Ｓ２２の反転信号である。さらに、クロック信号Ｓ１３は、立ち下がりエッジのみがクロック信号Ｓ１１より所定の遅延期間だけ遅れたクロック信号であり、クロック信号Ｓ１４は、立ち上がりエッジのみがクロック信号Ｓ１２より所定の遅延期間だけ遅れたクロック信号である。
【００３８】
クロック信号Ｓ２１がハイ・レベルとなり、コモン信号ＣＯＭ１の選択期間になると、マルチプレクサＭ２１から出力されるコモン信号ＣＯＭ１の電位は、トランジスタＴ１１およびＴ１２の接続点の電位となる。同時に、クロック信号Ｓ１１、Ｓ１２、およびＳ１４がロー・レベルとなり、トランジスタＴ１１がオン、トランジスタＴ１２およびＴ１４がオフとなるため、コモン信号ＣＯＭ１の電位は、電源電位ＶＤＤとなる。
【００３９】
また、クロック信号Ｓ１１より所定の遅延期間だけ遅れてクロック信号Ｓ１３がロー・レベルとなり、トランジスタＴ１３がオンとなるため、出力インピーダンスは十分に小さくなる。
【００４０】
コモン信号ＣＯＭ１の選択期間において、クロック信号Ｓ１１ないしＳ１３が同時にハイ・レベルとなると、トランジスタＴ１１およびＴ１３がオフ、トランジスタＴ１２がオンとなる。したがって、液晶パネル９のコモン電極には、コモン信号ＣＯＭ１として、電流源ＩＳ１２から第１の定電流信号に相当するシンク電流（吸い込み電流）が供給される。そして、コモン信号ＣＯＭ１の電位は、当該シンク電流によってランプ状に下降して電源電位ＶＳＳとなり、電源電位ＶＤＤから電源電位ＶＳＳに下降するランプ波形Ｒａ１となる。
【００４１】
また、クロック信号Ｓ１２より所定の遅延期間だけ遅れてクロック信号Ｓ１４がハイ・レベルとなり、トランジスタＴ１４がオンとなるため、出力インピーダンスは十分に小さくなる。なお、当該遅延期間は、少なくともコモン信号ＣＯＭ１の電位が電源電位ＶＳＳに達した後にクロック信号Ｓ１４がハイ・レベルとなるように設定される。
【００４２】
クロック信号Ｓ２１がロー・レベルとなり、コモン信号ＣＯＭ１の非選択期間になると、コモン信号ＣＯＭ１の電位は、マルチプレクサＭ２２の出力電位となる。同時に、クロック信号Ｓ２２がハイ・レベルとなるため、コモン信号ＣＯＭ１の電位は、中間電位Ｖ２となる。
【００４３】
コモン信号ＣＯＭ１の非選択期間において、クロック信号Ｓ２２がロー・レベルとなると、コモン信号ＣＯＭ１の電位は、中間電位Ｖ１となる。したがって、コモン信号ＣＯＭ１の非選択期間においては、コモン信号ＣＯＭ１の電位は、クロック信号Ｓ２２のレベルに応じて、交互に中間電位Ｖ２またはＶ１となる。
【００４４】
以上のように、コモン信号出力回路１は、少なくともコモン信号ＣＯＭ１の電位が電源電位ＶＤＤから電源電位ＶＳＳに下降する場合に、ランプ状に変化させる。
【００４５】
なお、図３から明らかなように、当該駆動方式において、コモン信号ＣＯＭ１の電位が電源電位ＶＳＳから電源電位ＶＤＤに上昇することはない。そのため、ランプ波形生成回路１０は、電流源として、電源電位ＶＳＳに接続された電流源ＩＳ１２のみを含んでいる。
【００４６】
次に、セグメント信号出力回路３の動作について説明する。  
クロック信号Ｓ４１のハイ・レベル期間は、セグメント信号ＳＥＧｊに対応する４個のセグメントのうち、点灯するセグメントに対応するコモン信号ＣＯＭｉの選択期間を示している。前述したように、当該４個のセグメントは、コモン信号ＣＯＭ２およびＣＯＭ３に対応する２個のセグメントが点灯するため、クロック信号Ｓ４１は、コモン信号ＣＯＭ２およびＣＯＭ３の選択期間にハイ・レベルとなる。
【００４７】
クロック信号Ｓ３１およびＳ３２は、いずれもクロック信号Ｓ２２に等しい信号である。また、クロック信号Ｓ３３は、立ち下がりエッジのみがクロック信号Ｓ３１より所定の遅延期間だけ遅れたクロック信号であり、クロック信号Ｓ３４は、立ち上がりエッジのみがクロック信号Ｓ３２より所定の遅延期間だけ遅れたクロック信号である。
【００４８】
コモン信号ＣＯＭ１およびＣＯＭ４の選択期間において、クロック信号Ｓ４１はロー・レベルとなっている。したがって、マルチプレクサＭ４１から出力されるセグメント信号ＳＥＧｊの電位は、マルチプレクサＭ４２の出力電位となり、クロック信号Ｓ２２がハイ・レベルの間、中間電位Ｖ１となり、クロック信号Ｓ２２がロー・レベルの間、中間電位Ｖ２となる。
【００４９】
コモン信号ＣＯＭ２の選択期間になると、クロック信号Ｓ４１がハイ・レベルとなり、セグメント信号ＳＥＧｊの電位は、トランジスタＴ３１およびＴ３２の接続点の電位となる。同時に、クロック信号Ｓ３１ないしＳ３３がハイ・レベルとなり、トランジスタＴ３１およびＴ３３がオフ、トランジスタＴ３２がオンとなる。したがって、液晶パネル９のセグメント電極には、セグメント信号ＳＥＧｊとして、電流源ＩＳ３２からシンク電流が供給される。そして、セグメント信号ＳＥＧｊの電位は、当該シンク電流によってランプ状に下降して電源電位ＶＳＳとなり、中間電位Ｖ２から電源電位ＶＳＳに下降するランプ波形Ｒａ２となる。
【００５０】
また、クロック信号Ｓ３２より所定の遅延期間だけ遅れてクロック信号Ｓ３４がハイ・レベルとなり、トランジスタＴ３４がオンとなるため、出力インピーダンスは十分に小さくなる。なお、当該遅延期間は、少なくともセグメント信号ＳＥＧｊの電位が電源電位ＶＳＳに達した後にクロック信号Ｓ３４がハイ・レベルとなるように設定される。
【００５１】
コモン信号ＣＯＭ２の選択期間において、クロック信号Ｓ３１、Ｓ３２、およびＳ３４が同時にロー・レベルとなると、トランジスタＴ３１がオン、トランジスタＴ３２およびＴ３４がオフとなる。したがって、液晶パネル９のセグメント電極には、セグメント信号ＳＥＧｊとして、電流源ＩＳ３１からソース電流（吐き出し電流）が供給される。そして、セグメント信号ＳＥＧｊの電位は、当該ソース電流によってランプ状に上昇して電源電位ＶＤＤとなり、電源電位ＶＳＳから電源電位ＶＤＤに上昇するランプ波形Ｒａ３となる。
【００５２】
また、クロック信号Ｓ３１より所定の遅延期間だけ遅れてクロック信号Ｓ３３がロー・レベルとなり、トランジスタＴ３３がオンとなるため、出力インピーダンスは十分に小さくなる。なお、当該遅延期間は、少なくともセグメント信号ＳＥＧｊの電位が電源電位ＶＤＤに達した後にクロック信号Ｓ３３がロー・レベルとなるように設定される。
【００５３】
コモン信号ＣＯＭ３の選択期間になると、クロック信号Ｓ３１ないしＳ３３が同時にハイ・レベルとなり、トランジスタＴ３１およびＴ３３がオフ、トランジスタＴ３２がオンとなる。したがって、液晶パネル９のセグメント電極には、セグメント信号ＳＥＧｊとして、電流源ＩＳ３２からシンク電流が供給される。そして、セグメント信号ＳＥＧｊの電位は、当該シンク電流によってランプ状に下降して電源電位ＶＳＳとなり、電源電位ＶＤＤから電源電位ＶＳＳに下降するランプ波形Ｒａ４となる。
【００５４】
また、クロック信号Ｓ３２より所定の遅延期間だけ遅れてクロック信号Ｓ３４がハイ・レベルとなり、トランジスタＴ３４がオンとなるため、出力インピーダンスは十分に小さくなる。
【００５５】
コモン信号ＣＯＭ３の選択期間において、クロック信号Ｓ３１、Ｓ３２、およびＳ３４が同時にロー・レベルとなる場合の動作は、コモン信号ＣＯＭ２の選択期間の場合と同様である。したがって、セグメント信号ＳＥＧｊの電位は、ランプ波形Ｒａ３と同様に、電源電位ＶＳＳから電源電位ＶＤＤに上昇するランプ波形Ｒａ５となる。
【００５６】
以上のように、セグメント信号出力回路３は、少なくともセグメント信号ＳＥＧｊの電位が電源電位ＶＤＤから電源電位ＶＳＳに下降する場合、または電源電位ＶＳＳから電源電位ＶＤＤに上昇する場合に、ランプ状に変化させる。
【００５７】
なお、当該機能を実現するため、本実施形態では、セグメント信号出力回路３は、セグメント信号ＳＥＧｊの電位が電源電位ＶＳＳに下降する場合、または電源電位ＶＤＤに上昇する場合に、ランプ状に変化させている。したがって、セグメント信号ＳＥＧｊの電位は、電源電圧Ｖ０の電位差でランプ状に変化する場合のほか、ランプ波形Ｒａ２のように、１／３Ｖ０（＝Ｖ２−ＶＳＳ）の電位差でランプ状に変化する場合もある。
【００５８】
また、本実施形態では、セグメント信号ＳＥＧｊとして、電流源ＩＳ３１から供給されるソース電流および電流源ＩＳ３２から供給されるシンク電流が、いずれも第２の定電流信号に相当する。
【００５９】
このようにして、本実施形態の液晶駆動回路は、コモン信号ＣＯＭｉおよびセグメント信号ＳＥＧｊの電位が少なくとも電源電圧Ｖ０の電位差で変化する場合に、ランプ状に変化させている。すなわち、信号の電位が最大の電位差で変化する場合に、立ち上がり時間および立ち下がり時間を設け、スルーレートを低下させている。
【００６０】
したがって、オペアンプの出力インピーダンスが図９および図１０に示した液晶駆動回路の場合と同等であっても、図３に示すように、スパイクノイズＳｐの大きさおよび収束時間を小さくすることができる。そのため、良好な表示品質を確保しつつ、消費電流および回路基板の実装面積を同時に抑えることができる。
【００６１】
なお、コモン信号ＣＯＭｉおよびセグメント信号ＳＥＧｊをランプ波形とする代わりに、ＲＣフィルタを用いて高周波成分を減衰させることによっても、スルーレートを低下させることができる。しかしながら、ＲＣフィルタを用いた場合、立ち上がりまたは立ち下がり直後のスルーレートがランプ波形と同等であっても、電源電圧ＶＤＤまたはＶＳＳに達するまでの時間が長くなるため、液晶パネルにちらつきなどの表示不良が発生する場合もある。
【００６２】
＝＝＝電流供給回路の他の構成例＝＝＝
上記実施形態では、コモン信号ＣＯＭｉおよびセグメント信号ＳＥＧｊのランプ波形は、電流源ＩＳ１２、ＩＳ３１、およびＩＳ３２から供給される電流に応じた傾きとなる。したがって、当該供給される電流の電流値を可変とすることによって、ランプ波形の傾きを変更することができる。
【００６３】
図４は、一例として、ランプ波形生成回路３０のうち、第２の電流供給回路に相当する回路を４つ用いて、設定レジスタＳＲに記憶されている電流値設定情報（Ｇ１，Ｇ２，Ｇ３，Ｇ４）に応じてランプ波形の傾きを変更することができる構成を示している。
【００６４】
電源電位ＶＤＤに接続された電流源ＩＳ３１１、トランジスタＴ３１１、Ｔ３２１、および電源電位ＶＳＳに接続された電流源ＩＳ３２１は、当該順序で直列に接続されており、第２の電流供給回路１つ分に相当する。また、トランジスタＴ３１１のゲートには、クロック信号Ｓ３１と電流値設定信号Ｇ１の反転信号とが入力されるＯＲ回路（論理和回路）Ｏ３１１の出力信号が入力されている。一方、トランジスタＴ３２１のゲートには、クロック信号Ｓ３２と電流値設定信号Ｇ１とが入力されるＡＮＤ回路（論理積回路）Ａ３２１の出力信号が入力されている。
【００６５】
当該第２の電流供給回路は、電流値設定信号Ｇ１＝１の場合、クロック信号Ｓ３１およびＳ３２に応じて、電流源ＩＳ３１１またはＩＳ３２１から電流を供給することができる。一方、電流値設定信号Ｇ１＝０の場合、クロック信号Ｓ３１およびＳ３２によらず、トランジスタＴ３１１およびＴ３２１がいずれもオフとなるため、電流源ＩＳ３１１およびＩＳ３２１から電流は供給されない。したがって、当該第２の電流供給回路は、電流値設定信号Ｇ１に応じて、使用または不使用に設定される。また、他の３つ分の第２の電流供給回路も同様の構成となっており、それぞれ電流値設定信号Ｇ２ないしＧ４に応じて、使用または不使用に設定される。
【００６６】
このようにして、電流値設定情報（Ｇ１，Ｇ２，Ｇ３，Ｇ４）を適宜設定することによって、セグメント信号ＳＥＧｊとして第２の定電流信号に相当する電流を供給する第２の電流供給回路の個数を設定し、ランプ波形の傾きを変更することができる。また、コモン信号ＣＯＭｉについても同様に、ランプ波形の傾きを変更することができる。
【００６７】
なお、ランプ波形の傾きが小さい場合には、スパイクノイズＳｐを十分に抑制することができず、残像などが発生する場合がある。一方、ランプ波形の傾きが大きい場合には、コモン信号ＣＯＭｉおよびセグメント信号ＳＥＧｊの電位が電源電圧ＶＤＤまたはＶＳＳに達するまでの時間が長くなるため、ちらつきなどが発生する場合がある。そのため、実際に液晶パネル９を接続し、表示状態を確認しながらランプ波形の傾きを変更することによって、最適な表示品質に調整することができる。
【００６８】
＝＝＝液晶駆動回路の他の駆動方式＝＝＝
上記実施形態では、駆動方式として１／３バイアス駆動を行う液晶駆動回路について説明したが、これに限定されるものではない。
【００６９】
図５は、１／２バイアス駆動を行う液晶駆動回路の動作を示している。図５に示されているように、１／２バイアスの駆動方式では、セグメント信号ＳＥＧｊは、中間電位Ｖ１を取ることはなく、中間電位Ｖ１に比べて十分に安定している電源電位ＶＤＤまたはＶＳＳのみを取る。したがって、当該駆動方式では、セグメント信号ＳＥＧｊのみをランプ波形とし、コモン信号ＣＯＭｉに発生するスパイクノイズを抑制すればよい。また、セグメント信号ＳＥＧｊ電位の変化は、すべて電源電圧Ｖ０の電位差の変化であるため、セグメント信号ＳＥＧｊの電位を常にランプ状に変化させることとなる。
【００７０】
また、１／３バイアスの駆動方式として、図６に示すものも一般に知られている。当該駆動方式では、コモン信号ＣＯＭｉおよびセグメント信号ＳＥＧｊの電位は、破線で囲まれた２／３Ｖ０の電位差の変化があるものの、電源電圧Ｖ０の電位差で変化することはない。したがって、当該駆動方式では、少なくともコモン信号ＣＯＭｉおよびセグメント信号ＳＥＧｊの電位が取り得る最大の電位差２／３Ｖ０で変化する場合に、ランプ状に変化させることとなる。
【００７１】
なお、いずれの駆動方式においても、少なくともコモン信号ＣＯＭｉおよびセグメント信号ＳＥＧｊの電位が最大の電位差で変化する場合に、ランプ状に変化させればよく、それ以外の変化についてもランプ波形としてもよい。例えば、コモン信号ＣＯＭｉおよびセグメント信号ＳＥＧｊの電位を常にランプ状に変化させる構成としてもよい。
【００７２】
前述したように、図１に示したセグメント信号出力回路３を有する液晶駆動回路において、少なくともセグメント信号ＳＥＧｊの電位が取り得る最大の電位差で変化する場合に、当該セグメント信号ＳＥＧｊの電位をランプ状に変化させることによって、スルーレートを低下させてコモン信号ＣＯＭｉに発生するスパイクノイズＳｐを抑制することができ、良好な表示品質を確保しつつ、消費電流および回路基板の実装面積を同時に抑えることができる。
【００７３】
また、図１に示したコモン信号出力回路１をさらに有する液晶駆動回路において、少なくともコモン信号ＣＯＭｉの電位が取り得る最大の電位差で変化する場合に、当該コモン信号ＣＯＭｉの電位をランプ状に変化させることによって、スルーレートを低下させてセグメント信号ＳＥＧｊに発生するスパイクノイズＳｐも抑制することができる。
【００７４】
また、少なくともコモン信号ＣＯＭｉおよびセグメント信号ＳＥＧｊの電位が電源電圧Ｖ０の電位差で変化する場合に、当該コモン信号ＣＯＭｉおよびセグメント信号ＳＥＧｊの電位をランプ状に変化させることによって、電源電圧Ｖ０の電位差の変化を有する駆動方式において、コモン信号ＣＯＭｉおよびセグメント信号ＳＥＧｊに発生するスパイクノイズＳｐを抑制することができる。
【００７５】
また、コモン信号ＣＯＭｉおよびセグメント信号ＳＥＧｊとして、電流源ＩＳ１２、ＩＳ３１、およびＩＳ３２から供給される第１および第２の定電流信号をそれぞれ液晶パネル９のコモン電極およびセグメント電極に、供給することによって、コモン信号ＣＯＭｉおよびセグメント信号ＳＥＧｊの電位をランプ状に変化させることができる。
【００７６】
また、第１および第２の電流供給回路を複数用いて、第１および第２の定電流信号それぞれ供給する第１および第２の電流供給回路の個数を設定することによって、コモン信号ＣＯＭｉおよびセグメント信号ＳＥＧｊのランプ波形の傾きを変更することができ、液晶パネル９を最適な表示品質に調整することができる。
【００７７】
なお、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００７８】
１、５      コモン信号出力回路
３、７      セグメント信号出力回路
９          液晶パネル
１０、３０  ランプ波形生成回路
２０、４０  出力選択回路
Ｒ１〜Ｒ３  抵抗
Ｃ１、Ｃ２  コンデンサ
ＯＰ１、ＯＰ２  オペアンプ（演算増幅器）
Ｒ１１          抵抗
ＩＳ１２        電流源
Ｔ１１、Ｔ１３  ＰＭＯＳ（Ｐチャネル金属酸化膜半導体）トランジスタ
Ｔ１２、Ｔ１４  ＮＭＯＳ（Ｎチャネル金属酸化膜半導体）トランジスタ
Ｍ２１、Ｍ２２  マルチプレクサ（選択回路）
ＩＳ３１、ＩＳ３２  電流源
Ｔ３１、Ｔ３３  ＰＭＯＳ（Ｐチャネル金属酸化膜半導体）トランジスタ
Ｔ３２、Ｔ３４  ＮＭＯＳ（Ｎチャネル金属酸化膜半導体）トランジスタ
Ｍ４１、Ｍ４２  マルチプレクサ（選択回路）
ＩＳ３１１〜ＩＳ３１４、ＩＳ３２１〜ＩＳ３２４  電流源
Ｔ３１１〜Ｔ３１４  ＰＭＯＳ（Ｐチャネル金属酸化膜半導体）トランジスタ
Ｏ３１１〜Ｏ３１４  ＯＲ回路（論理和回路）
Ｔ３２１〜Ｔ３２４  ＮＭＯＳ（Ｎチャネル金属酸化膜半導体）トランジスタ
Ａ３２１〜Ａ３２４  ＡＮＤ回路（論理積回路）
ＳＲ                設定レジスタ
【図１】
2012032520.tif 000003
【図２】
2012032520.tif 000004
【図３】
2012032520.tif 000005
【図４】
2012032520.tif 000006
【図５】
2012032520.tif 000007
【図６】
2012032520.tif 000008
【図７】
2012032520.tif 000009
【図８】
2012032520.tif 000010
【図９】
2012032520.tif 000011
【図１０】
2012032520.tif 000012